(57)【特許請求の範囲】
【請求項１】
光ファイバ伝送ネットワークの波長分割多重分波装置であって、トランクケーブルと分岐ケーブルの間で伝送信号を交換するために、トランクケーブルの２つの部分の間に挿入され、分岐ケーブルに接続されるように構成されており、前記分波装置は、各々が異なる伝送波長に応答する複数の波長選択装置（Ａ、Ｂ、Ｃ、Ｄ）を有し、１つ又はそれ以上の前記波長選択装置（Ａ、Ｂ、Ｃ、Ｄ）の、トランクケーブルの伝送ファイバへの、接続を可能とするハウジングの外部にある手段（９０、１０２）を有し、接続された装置の応答波長を有する伝送信号を、トランクファイバから分岐ケーブルの分岐ファイバへ又は、分岐ファイバからトランクファイバへ、ダイバートし、
前記ハウジングの外部にある手段は、
ａ−分波装置ハウジング上に取り付けられているか又は形成されているか、又は、
ｂ−分波装置ハウジングの外側に配置されており、中間ケーブル（１２６）を介してハウジングに接続されており、波長選択装置自体は分波装置ハウジングの内側にある、ことを特徴とする、波長分割多重分波装置。
【請求項２】
分波装置ハウジングが、トランクの入力ファイバに接続するための第一ポートと、ダイバートされる伝送波長を反射するように応答する一個または複数個の波長選択装置を接続できるようにするための、主ハウジングの外部の前記手段と結合された第二ポートと、分岐ケーブルのドロップファイバに接続するための第三ポートとを有する光サーキュレータを含む請求項１に記載の分波装置。
【請求項３】
ハウジングが、１または複数の波長選択装置の反対側端部を接続できるようにするための、主ハウジングの外部の前記手段と結合された第一ポートと、トランクの出力ファイバに接続するための第二ポートと、分岐ケーブルのアドファイバに接続するための第三ポートとを有する第二光サーキュレータを含む請求項２に記載の分波装置。
【請求項４】
波長選択装置がブラッグファイバ格子である請求項１から３のいずれか一項に記載の分波装置。
【請求項５】
ハウジングの外部の前記手段によってトランクファイバに選択的に接続できるようにそれぞれ装着されたいくつかの波長選択装置を備える請求項１から４のいずれか一項に記載の分波装置。
【請求項６】
波長選択装置が分波装置ハウジング中に装着されている請求項５に記載の分波装置。
【請求項７】
波長選択装置が、光ファイバテールにそれぞれ結合され、トランク伝送結合ファイバ及びドロップ波長選択ファイバと共に、テールチューブを介して終端ハウジングへルーティングされ、終端ハウジングでは一個または複数個の波長選択装置のトランクファイバへの選択的結合が、選択されたファイバテールをドロップ波長選択ファイバにスプライシングすることによって実施される請求項６に記載の分波装置。
【請求項８】
波長選択装置が、光ファイバテールにそれぞれ結合され、トランク伝送ファイバ結合ファイバ及びドロップ波長選択ファイバと共に、テールチューブを介していくらかはハウジングの各端部を通って、分波装置ハウジングの反対側端部にある終端ハウジングへルーティングされ、終端ハウジングでは一個または複数個の波長選択装置のトランクファイバへの選択的結合が、選択されたファイバテールをドロップ波長選択ファイバにスプライシングすることによって実施される請求項６に記載の分波装置。
【請求項９】
選択的結合が、終端ハウジング中でファイバをスプライシングすることによって実施される請求項７または８に記載の分波装置。
【請求項１０】
一個または複数個の終端ハウジングが、ハウジングの各端部上に設けられたベローズ形状のたわみ結合の端部中に位置する請求項７、８または９に記載の分波装置。
【請求項１１】
波長選択装置が、光ファイバケーブルのファイバを介して、トランク伝送ファイバ結合及びドロップ波長選択ファイバと共に、トランクケーブルと接合するための遠隔接続箱にそれぞれ結合され、遠隔接続箱では一個または複数個の波長選択装置のトランクファイバへの選択的結合が、特定の波長選択装置に関連する選択されたファイバをドロップ波長選択ファイバにスプライス接合することによって実施される請求項６に記載の分波装置。
【請求項１２】
波長選択装置が、分波装置ハウジングの反対側端部から延びる一対の光ファイバケーブル間で共有され、トランク伝送結合ファイバの一本及びドロップ波長選択ファイバと共に、トランクケーブルと接合するために異なる遠隔接続箱にルーティングされ、遠隔接続箱では一個または複数個の波長選択装置のトランクファイバへの選択的結合が、特定の波長選択装置に関連する選択されたファイバをドロップ波長選択ファイバにスプライス接合することによって実施される請求項６に記載の分波装置。
【請求項１３】
波長選択装置が、光ファイバテールにそれぞれ結合され、トランク伝送結合ファイバ及びドロップ波長選択ファイバと共に、テールチューブを介していくらかはハウジングの各端部を通って、分波装置ハウジングの反対側端部にある終端ハウジングへルーティングされ、終端ハウジングでは各ハウジングは、異なる接続箱に結合するためにスプライス接合することによって一対の光ファイバケーブルの一本に接合される請求項１２に記載の分波装置。
【請求項１４】
一個または複数個の波長選択装置を接続できるようにするための分波装置ハウジングの外部の手段が、波長選択装置の選択的交換を可能にする手段を備える請求項１から４のいずれか一項に記載の分波装置。
【請求項１５】
分波装置ハウジングの一端部上に装着されたハウジングが、この装置用のレセプタの形の波長選択装置の選択的交換を可能にする手段を有し、このレセプタが光ファイバを介して分波装置ハウジング中のトランク伝送ファイバに結合される請求項１４に記載の分波装置。
【請求項１６】
波長選択装置の選択的交換を可能にする手段が、分波装置ハウジングの前記端末、または各端末中に設けられたこの装置用のレセプタであり、テールチューブを通る光ファイバを介して、分波装置ハウジング中のトランク伝送ファイバに結合される請求項１４に記載の分波装置。
【請求項１７】
波長選択装置の選択的交換を可能にする手段が、分波装置ハウジングの反対側端部から遠く離れて配置された一対の接続箱の一方または両方に設けられたこの装置用のレセプタであり、光ファイバケーブルを介してそれと結合され、レセプタがケーブル中の光ファイバを介して分波装置ハウジング中のトランク伝送ファイバに結合される請求項１４に記載の分波装置。
【請求項１８】
分波装置ハウジングが、耐密シールされている請求項１から１７のいずれか一項に記載の分波装置。
【請求項１９】
波長選択装置を収容するハウジングが、耐密シールされている請求項６から１３または１５から１８のいずれか一項に記載の分波装置。
【請求項２０】
分波装置により、トランクケーブルから分岐ケーブルへドロップされるか又は分岐ケーブルからトランクケーブルへアドされる波長を選択する方法であって、分波装置は、前記トランクケーブルの２つの部分の間に挿入され、分岐ケーブルに接続されるように構成されており、前記分波装置は、ハウジング（１００）と各々が１つの伝送波長に応答する複数の波長選択装置（Ａ、Ｂ、Ｃ、Ｄ）を有し、１つ又はそれ以上の前記波長選択装置（Ａ、Ｂ、Ｃ、Ｄ）を選択し、ハウジング（１００）の外部からアクセスされる光ファイバ接続により、前記波長選択装置（Ａ、Ｂ、Ｃ、Ｄ）の、トランクケーブルの伝送ファイバへの、接続を行い、前記ハウジングの外部アクセスは、
ａ−分波装置ハウジング上に取り付けられているか又は形成されているか、又は、
ｂ−分波装置ハウジングの外側に配置されており、中間ケーブル（１２６）を介してハウジングに接続されており、波長選択装置自体は分波装置ハウジングの内側にある、
ハウジングの外部の手段（９０、１０２）を通して提供されることを特徴とする、方法。
【請求項２１】
いくつかの異なる波長選択装置がハウジング中に設けられ、所望の波長の選択が適当な通信光ファイバの結合によって実施される請求項２０に記載の方法。
【請求項２２】
前記結合が、ハウジング用の終端中で実施される請求項２１に記載の方法。
【請求項２３】
前記結合が、トランクケーブルに接続するための接続箱中で実施される請求項２１に記載の方法。
【請求項２４】
適当な通信光ファイバの結合が、スプライス接合によって実施される請求項２１から２３のいずれか一項に記載の方法。
【請求項２５】
一個または複数個の波長選択装置が、ハウジングの外部の光ファイバ接続に結合される請求項２０に記載の方法。
【発明の詳細な説明】
【０００１】
【発明の属する技術分野】
本発明は、波長分割多重（ＷＤＭ）光伝送システムのブランチングユニット、すなわち分波装置に関する。
【０００２】
【従来の技術】
ＷＤＭを使用する光伝送システムは、遠隔端末局と通信する複数対の光ファイバからなるトランクケーブルを有する。トラヒックは、いくつかの異なる波長で伝送され、特有の波長のトラヒックをトランクケーブルからブランチ端末局にダイバートし、かつトラヒックがブランチ端末局からトランクケーブル上に同一波長で付加されるようにするために、分波装置が設けられている。ＷＤＭ分波装置は、異なるファイバ対上に一つまたは複数の波長でトラヒックをアド、すなわちまたはドロップ、すなわち取り出すように構成することができる。
【０００３】
光ネットワークが複雑になるにつれて、システムが多くのブランチ端末局を有するようになり、この端末局が異なるアド波長及びドロップ波長を使用することが必要になる。分波装置は、製造が複雑であり、費用がかかり、現在は特定の分岐機能用に特に生産されている。その様な機能にあっては、分波装置はブランチに指定波長をドロップし、トランクに同一波長でトラヒックのアドを可能にするための波長選択機能を備えている。分波装置に使用されている波長選択のためのブラッグファイバ格子を含む構成要素の光特性は水素に曝されると損なわれるが、水中システムのハウジングを流れる電流から生じる電解効果の結果、ハウジングの付近に水素が発生する。このような適用例では、水素の接近を防止するために、ハウジングが工場で耐密シールされ、光ファイバは耐密シール媒体を収容した長いコイル状のテールチューブを介してハウジングと連絡する。
【０００４】
この構造は、適当な試験設備が使用可能な工場条件でエキスパートの監督下以外で、分解し、ブラッグファイバ格子の交換によって波長選択機能を変更するのには適していない。これは交換作業中船上での分解には確かに適していない。したがって、これは、システムが異なる機能を実行するいくつかの分波装置を含む、予備装置を用意するという問題を提起する。予備として各分波装置タイプの単なる二重化は、費用がかかり、海底のようなリスクの高い地域での同一装置の繰り返し交換の場合、理想的であるとは言えない。
【０００５】
【発明が解決しようとする課題】
本発明は、システム中で使用されているどんな分波装置の変形でも交換するのに容易に適応可能である、いわゆる万能のすなわち融通のきく予備の分波装置を提供しようとするものである。
【０００６】
【課題を解決するための手段】
本明細書に記載の発明によると、光ファイバ伝送ネットワーク用の波長分割多重分波装置が提供され、この装置は、分波装置ハウジングとそれぞれ異なる伝送波長に応答して一個または複数個の波長選択装置をトランク伝送ファイバに接続できるようにし、その結果接続された装置一個（または複数個）の応答波長を有する伝送信号をトランクファイバからブランチケーブルのスパーファイバにダイバートするためのハウジングの外部の手段とを備える。
【０００７】
分波装置ハウジングは、トランクの入力ファイバに接続するための第一ポートと、ダイバートされる伝送波長を反射するように応答する一個または複数個の波長選択装置を接続できるようにするための、主ハウジングの外部の前記手段と結合された第二ポートと、ブランチケーブルのドロップファイバに接続するための第三ポートとを有する光サーキュレータを含む。ハウジングは、一個または複数個の波長選択装置の反対側端部を接続できるようにするための、主ハウジングの外部の前記手段と結合された第一ポートと、トランクの出力ファイバに接続するための第二ポートと、ブランチケーブルのアドファイバに接続するための第三ポートとを有する第二光サーキュレータを含む。波長選択装置は、ブラッグファイバ格子である。
【０００８】
装置は、ハウジングの外部の前記手段によってトランクファイバに選択的に接続できるようにそれぞれ装着されたいくつかの波長選択装置を備える。波長選択装置は、分波装置ハウジング中に装着される。波長選択装置は、光ファイバテールにそれぞれ結合され、トランク伝送結合ファイバ及びドロップ波長選択ファイバと共に、テールチューブを介して終端ハウジングへルーティングされ、終端ハウジングでは一個または複数個の波長選択装置装置のトランクファイバへの選択的結合が、選択されたファイバテールをドロップ波長選択ファイバにスプライス接合することによって実施される。あるいは、波長選択装置は、光ファイバテールにそれぞれ結合され、トランク伝送ファイバ結合及びドロップ波長選択ファイバと共にテールチューブを介していくらかはハウジングの各端部を通って、分波装置ハウジングの反対側端部にある終端ハウジングへルーティングされ、終端ハウジングでは一個または複数個の波長選択装置のトランクファイバへの選択的結合が、選択されたファイバテールをドロップ波長選択ファイバにスプライス接合することによって実施される。選択的結合は、終端ハウジング中でファイバをスプライス接合することによって実施される。一個または複数個の終端ハウジングは、ハウジングの各端部上に一つ設けられたアルマジロたわみ結合の端部中に位置する。
【０００９】
波長選択装置は、光ファイバケーブルのファイバを介してトランク伝送ファイバ結合及びドロップ波長選択ファイバと共に、トランクケーブルと接合するための遠隔接続箱に結合され、接続箱では一個または複数個の波長選択装置のトランクファイバへの選択的結合が、特定の波長選択装置に関連する選択されたファイバをドロップ波長選択ファイバにスプライス接合することによって実施される。波長選択装置は、光ファイバテールにそれぞれ結合され、トランク伝送結合ファイバ及びドロップ波長選択ファイバと共に、テールチューブを介して、接続箱に結合するためにスプライス接合することによって光ファイバケーブルに接合される終端ハウジングに経路指定される。あるいは、波長選択装置は、分波装置ハウジングの反対側端部から延びる一対の光ファイバケーブル間で共有され、トランク伝送結合ファイバの一本及びドロップ波長選択ファイバと共に、トランクケーブルと接合するために異なる遠隔接続箱に経路指定され、接続箱では一個または複数個の波長選択装置のトランクファイバへの選択的結合が、特定の波長選択装置に関連する選択されたファイバをドロップ波長選択ファイバにスプライス接合することによって実施される。この場合、波長選択装置は、光ファイバテールにそれぞれ結合され、トランク伝送結合ファイバ結合及びドロップ波長選択ファイバと共に、テールチューブを介して多少ハウジングの各端部を通って、分波装置ハウジングの反対側端部にある終端ハウジングへ経路指定され、終端ハウジングでは各ハウジングは、異なる接続箱に結合するためにスプライス接合することによって一対の光ファイバケーブルの一本に接合される。
【００１０】
一個または複数個の波長選択装置を接続できるようにするための分波装置ハウジングの外部の手段が、波長選択装置の選択的交換を可能にする手段を備えることができる。ハウジングは、分波装置ハウジングの一端部上に装着され、この装置用のレセプタを有し、このレセプタは光ファイバを介して分波装置ハウジング中のトランク伝送ファイバに結合される。あるいは、分波装置ハウジングの前記終端、または各終端中に設けられたこの装置用のレセプタの形の、波長選択装置の選択的交換を可能にする手段が、テールチューブを通る光ファイバを介して、分波装置ハウジング中のトランク伝送ファイバに結合される。さらに、別の代替方法では、波長選択装置の選択的交換を可能にする手段は、分波装置ハウジングの反対側端部から遠く離れて配置された一対の接続箱の一方または両方に設けられたこの装置用のレセプタであり、光ファイバケーブルを介してそれと結合され、レセプタはケーブル中の光ファイバを介して分波装置ハウジング中のトランク伝送ファイバに結合される。波長選択装置を収容するハウジングは耐密シールされている。分波装置ハウジングは通常耐密シールされている。
【００１１】
本発明はまた、一個または複数個の波長選択装置を選択すること、及びハウジングに外部から接近される光ファイバ接続によってハウジング中の伝送ファイバへの接続を実施することを含む、分波装置によって分岐される波長を選択する方法を含む。いくつかの異なる波長選択装置がハウジング中に設けられ、所望の波長の選択は適当な通信光ファイバの結合によって実施される。この結合は、ハウジング用の終端中、またはトランクケーブルに接続するための接続箱中で実施される。適当な通信ファイバの結合は、スプライス接合によって実施することができる。
【００１２】
代替方法は、一個または複数個の波長選択装置をハウジングの外部の光ファイバ接続に結合するものである。
【００１３】
本発明及び本発明の様々な他の好ましい特徴をさらに容易に理解できるように、本発明のいくつかの実施形態を図面を参照しながら例示的なものとして次に説明する。
【００１４】
【発明の実施の形態】
図１を参照すると、分波装置１０は、「次のポートによる出口」装置として作用する二個の三ポート付きサーキュレータ１４、１６の間に設置された特有の波長チャネルλ1のための反射器として作用するブラッグファイバ格子１２を有する。西のトランクファイバ１８からのすべてのチャネルは、サーキュレータ１４の第一ポート２０に入り、第二ポート２２から出る。ブラッグ格子は、λ1を反射するが、他のすべてのチャネル波長を第二サーキュレータ１６の第一ポート２４中に入れ、第二ポート２６を通って東のトランクファイバ２８に出す。反射波長λ1は、サーキュレータ１４の第二ポート２２に入り、第三ポート３０から出て、スパーファイバ３２を介して分波装置３４に分岐する。第二サーキュレータ１６の目的は、いわゆる直接波長再使用方式で、分波装置３４からスパーアドファイバ３６を介して波長λ1の新しいトラヒック信号をアドすることであり、それによって同じ一組のトランクチャネルを再生する。同様のフィルタリング光配置が他方の方向でも使用される。複数のチャネル波長をドロップし、アドすることが必要とされる要求があることがあり、その場合、ブラッグ格子を、必要な各チャネル波長を反射するように連結することができる。
【００１５】
分波装置の機能は、チャネル波長をドロップまたはアドする分波装置の能力に関するかぎり、使用されるブラッグ格子によって決まり、水中システム中に使用されるような耐密シール分波装置では、管理された工場条件下とは違った形での交換は実際的ではないことが理解されよう。本発明は、システムのどんなドロップ／アドチャネル要件にも適応でき、したがって万能のすなわち融通のきく予備装置を構成することができる、分波装置の作成に関する。
【００１６】
図２に、二個の入口付き耐密シール隔壁４２を備えた分波装置ハウジング４０の一方の端部を示す。隔壁の一つの入口４４は、耐密シール材を含むコイル状のテールチューブ４８を通り、曲がりを制限しファイバを保護するアルマジロを介して、トランクファイバ４６に出口を与える働きをする。追加の入口５２に耐圧ハウジング５４が装着され、これが、隔壁に固定でき、耐密シールを備える、ハウジングの第四の脚部を形成する。このハウジングは、ファイバ格子用のマウンティング５６を有し、一個（または複数個）の格子がそれに結合されるサーキュレータポートからのファイバテールが、テールチューブ５８を通ってハウジング中にルーティングされる。複数組のブラッグファイバ格子が装置に供給され、配備の前に必要な格子が選択されてファイバテールに結合され、特定の要件に予備装置を適応させることになる。ブラッグファイバ格子が、耐密形では入手できないと仮定すると、ハウジングを確実に耐密シールすることが不可欠である。図３に、この四脚ハウジングの全体の機械的配置を示すが、二つの端部隔壁が互いに軸方向に９０°の角度で配置されていることに留意されたい。
【００１７】
図４に、四個の分波装置Ａ、Ｂ、Ｃ、Ｄを有するシステムの略図を示す。図を見るとわかるように一端に二個の入り口付き隔壁を、他端に一個の入り口付き隔壁を有し、必要なファイバ格子を内部に備えている。これは、特定の交換要求に合わせて選択されたファイバ格子を収容するための追加のハウジング５４を備える追加の二個の入り口付き隔壁を有する万能予備ハウジングＥと比較することができる。この配置は、万能な予備装置を提供するが、この予備装置の寸法、形状、及び重量が正規の分波装置のものと異なるという考慮すべき実際問題があり、予備装置を用意するために少なからぬ時間及び技術が必要とされ、追加のハウジングを確実に耐密シールすることが困難であり、非標準の四脚主ハウジングは取り扱い困難であり、三個のアルマジロがすべて主ハウジングの軸からずれるように、船首のスリーブを越えて供給することが困難である。
【００１８】
分波装置ハウジングの外部に格子を配置するためのオプションが他にいくつかあり、その一つは、図５に略図を示すが、ケーブル接続箱内部に格子を設けることである。ケーブル接続箱６０は通常の慣行に基づくものであり、分波装置ハウジング６２は三本の脚部６４、６６、６８を有し、各脚部は接続箱６０まで延びる光ファイバケーブル７０の長さを有し、光ケーブル７０は通常の技法によってトランクケーブル７２にスプライス接合するための６０などの接続箱中に留め付けられる。一対のファイバ上に一つの波長でアド／ドロップする最も簡単な場合、正規の接合に加えて接続箱中に二個の格子を備えることが必要になる。通常の接続箱は格子を八個まで収容できる。格子は、分波装置の三本の脚部のいずれかの上に設けられる接続箱中に収容できる。追加のファイバが分波装置ハウジング６２と接続箱の間の光ファイバケーブル、たとえばケーブル７０中に必要であることは明らかである。通常、接続箱は耐密シールされない。この配置構成は、実際的な提案であるが、格子自体が耐密保護装置ではない場合、水素の侵入及び性能の劣化を防止するために、耐密シール接続箱の必要が生じる。箱はハウジングから三十メートルから八十メートルの間隔を置いて配置され、ハウジングで最大の水素発生が起こり、その結果格子に及ぼす水素発生の影響が減少する。この配置構成の主な欠点は、設置環境中で格子を取り付け、確実に耐密シールするのに必要な専門技術に関するものである。
【００１９】
図６に示す配置構成は、ファイバ格子を外部ハウジング８０に除くという点で図５と同様である。この場合、ありうるすべての適用例のための格子は、アルマジロノーズコーンの下の終端（海底ケーブルへのテールケーブル）接合部のハウジングの内部に予めパックされる。次いで、接続箱８４でトランクケーブル８２へのＢＵをシステム中にスプライス接合するとき、必要な格子を作動させるためのスプライス接合が、テールジョイントへのファイバループを介して行われる。この場合も、同様な配置構成が、ハウジングの三本の脚部のどの脚部でも可能である。接続者はいくつかの余分なスプライス接合を作成するだけでよく、船体は機構的にシステム装置と同一の予備装置を扱うことになるので、これは、設置が容易な点で魅力あるオプションである。
【００２０】
前のオプションに比べて僅かな欠点は、より多くの格子を接合部の内部に実装する必要があること、及び交換されたＢＵが複雑な機能を有する場合は、ケーブル中のファイバ数が非常に多くなることである。
【００２１】
前のオプションと共通の主な欠点は、終端接合部の耐密性が必要なことである。この場合、接合部は最大水素発生点にずっと近くにある。
【００２２】
この手法のサブオプションは、船上接合の時に格子を終端の内部に配置するものである。これは、格子の数を減少するが、終端接合部をカプセル封入するために修復中に余分の成形作業が必要となる。最近の設置方針は、船上にあらかじめテール付きの予備リピータを置くことによって、海底ケーブル接合に対するリピータを避けている。
【００２３】
図７に、格子用の代替ハウジングオプションを示す。このオプションは、分波装置の本体上の主要コンポーネントハウジングの外側に格子用の別個のミニハウジング９０を置くという点で、図２から図４のオプションと大体同様である。図２では、この余分のハウジングが第四の脚部上の突起の形をとるが、このオプションでは、分岐端部にある端部片のキャビティ内にハウジング９０を収容することによって三本脚ユニットを保持する。このより巧みな配置構造に対するペナルティは、二個のケーブル終端に加えて、サーキュレータからファイバを引き出すために分岐端部に新しい三個の入口付きの隔壁が必要なことである。これによって、隔壁の両側に問題が生じる。
【００２４】
このオプションは、予備として標準形状のハウジングを用いるという利点を有し、水素から受ける損傷は小さい（すなわち、ハウジングによって遮られる）が、特別の内部取り扱い、隔壁、端部片、及びミニハウジングの開発のために必要な技術的努力が、前の船上技術の議論と共に、おそらくこの利点を上回るはずである。
【００２５】
格子を主分波装置ハウジングの外側に収容しなければならない場合、大きな問題が生じることが、前の実施形態の議論から明らかである。図８に好ましい実施形態の略図を示すが、ファイバ格子Ａ、Ｂ、Ｃ、Ｄが分波装置の重要構成部品であり、工場で耐密シールされ完全に試験された主分波装置ハウジング１００中に外乱を受けずに最も安全に収容されることになる。このことは、万能の予備能力を得るためには、システムのアド／ドロップ分波装置のすべての条件に適した格子を、主ハウジング中に収容しなければならないことを意味する。
【００２６】
スプライス接合を接合部ハウジング１０２へループさせるために、追加のファイバが外装テールケーブル中に必要であり、接合部ハウジング１０２では、予備装置の設置中に、サーキュレータ間に必要な格子を接続するため、適当なスプライス接合を作成することができる。このファイバは、三本の脚部のいずれかの脚部上のいずれか一つまたは複数の接合部ハウジングに経路指定され、予備装置要件が複雑な場合は三個の接続箱がすべて必要となることがある。
【００２７】
図９に、図８の実施形態のさらに詳しい特定の配置構成を示す。話を簡単にするために、一伝送方向用の一本のトランクファイバを示す。双方向伝送のために通常少なくとも二本のトランクファイバがあることを理解されたい。ハウジング１００は二個のサーキュレータ１０４、１０６と三個のファイバ格子１０８、１１０、１１２を含むことがわかる。各ファイバ格子の反対側端部は、光ファイバテール１１４を介して、主トランクと共にファイバテール接続１１６及びサーキュレータ結合テール１１８、１２０を通り耐密シールハウジングの外に出て、耐密シール材を含むコイル状テールチューブ１２２を通って終端ハウジング１２４にそれぞれ経路指定される。次いで、終端ハウジング中のファイバテールが、ｘで三十メートルから八十メートルの長さのケーブルテール１２６のファイバにスプライス接合され、接続箱１０２へ経路指定される。接続箱中でｘにおいて適当なスプライス接合が行われ、サーキュレータ１０４と１０６の間に接続するために選択されたファイバ格子の接続をループバックする。追加の分岐波長を設けるために、いくつかのファイバ格子を連結してスプライス接合することができる。あるいは、指定された分波装置用の連結された格子配置をハウジング１００中に設け、接続箱で選択するために適当なファイバテールを備えることができる。
【００２８】
図１０に、トランク中の双方向の一対のファイバ及び単一波長のアド／ドロップについての図９のハウジング内部の構成をさらに詳しく示す。出発トラヒックは、入力Ｔｌｉから一対のサーキュレータ１０４、１０６の一方に経路指定される。これらのサーキュレータは、テール１１８、１２０を介してスプライス接合ハウジングに結合されたポートをそれぞれ有する。四個の格子１、２、３、４もまた複数対のファイバテール１１４によってスプライス接合ハウジングに結合される。接合ハウジングでの適当なスプライス接合によって、格子のうちの選択された一個が、サーキュレータ１０４中で特定の波長を反射して戻すように二個のサーキュレータ間に接続され、その結果この波長が出て行きドロップファイバ１３０を下っていく。同様に、アドファイバ１３２は選択された格子の波長で信号を導入することができ、この波長がサーキュレータ１０６の第一ポートに入り、第二ポートから出て格子によってサーキュレータ中に反射して戻され、最後にラインＴｌｏ上の第三ポートから出てスプライス接合ハウジングへ行き、波長がトランクファイバにスプライス接合される。同様の構成及び動作が、入力Ｔ２ｉから出力Ｔ２ｏまでの到着トラヒックに対して必要である。図を見るとわかるが、一本の脚部上のスプライス接合ハウジングに設けられている場合、二十二本のファイバを含むテールが、このような構成には必要である。この配置構成は、極めて実用的であり、予備装置が元のシステム装置と同一寸法であり、接合ハウジングでのスプライス接合に精通した設置者の特殊訓練を必要としないという設置の利点を有する。予備装置を所望の波長機能に適応させるために、スプライス接合の指定されたメニューだけが必要である。
【００２９】
このオプションの別の特徴は、予備装置が工場を出発する前に、そのありうる波長すべてについて完全に試験されることである。次いで、配備の前にその性能を検証するための船上試験は、ファイバ格子が動作中に外乱を受けないままなので、ファイバスプライスのチェックだけでよい。
【００３０】
このシステムの主な欠点は、主ハウジング中に収容される格子の数及びそれが占める空間と、適したシールパッキン押えの要件を伴うトランクケーブル中のファイバの数と、大きなスプライス数、及びその結果生じる信号の関連する減衰である。パッキン押えシールの問題は、脚部間でファイバを共有することによって軽減でき、減衰損失はファイバタイプの注意深い選択及び合致によって最小限に抑えることができる。
【００３１】
図１１に別の可能な構造を示す。分波装置ハウジング１４０の構造及びテールチューブ配置１４２は、ハウジングが選択のための異なる波長の格子の全範囲を含むと言う点で図９と同様であり、この場合、格子の選択は終端ハウジング中でスプライス接合によって実施される。この配置構成によってスプライスの数が減少し、したがって生じる減衰が減少するが、設置人員が習熟していないために回避することが好ましい、設置中または設置前の終端ハウジングへの接近が必要となる。
【図面の簡単な説明】
【図１】基本ＷＤＭ分波装置の動作を示す略図である。
【図２】本発明に従って作成された分波装置の一方の端部を示す切欠図である。
【図３】図２の分波装置の概略側面図である。
【図４】交換可能な分波装置を含む伝送システムと比較した分波装置の略図である。
【図５】ブラッグファイバ格子がケーブル接続箱中に設けられている分波装置の略図である。
【図６】ブラッグファイバ格子が、外部ケーブル終端ハウジング中に設けられている分波装置の略図である。
【図７】ブラッグファイバ格子用の代替ハウジング配置を示す略図である。
【図８】一組の格子が主分波装置ハウジング内に収容されている現在好ましいオプションの略図である。
【図９】図８の実施形態の特定の配置を示す詳細図である。
【図１０】図９のハウジング中の構成のさらに詳細な図である。
【図１１】図９と同様であるが、終端ハウジング中にスプライス接合を使用しているさらに別の実施形態を示す図である。
【図１】
0004156708.tif 000002
【図２】
0004156708.tif 000003
【図３】
0004156708.tif 000004
【図４】
0004156708.tif 000005
【図５】
0004156708.tif 000006
【図６】
0004156708.tif 000007
【図７】
0004156708.tif 000008
【図８】
0004156708.tif 000009
【図９】
0004156708.tif 000010
【図１０】
0004156708.tif 000011
【図１１】
0004156708.tif 000012